【手続補正書】
【提出日】平成23年6月27日(2011.6.27)
【手続補正１】
【補正対象書類名】特許請求の範囲
【補正対象項目名】請求項２
【補正方法】変更
【補正の内容】
【請求項２】
基材走行路の非塗工面側を形成するように基材走行方向へ向かって順番に設けられた定位置の上流側基準ロール、進退自在な塗工切替用ロール、進退自在な張力調整用ロール及び定位置の下流側基準ロールと、
上流側基準ロールと塗工切替用ロールとの間であって基材走行路の塗工面側の定位置に設けられた塗工ロールと、
塗工切替用ロールを基材走行路の非塗工面側から塗工面側へ向かって非塗工操作位置から塗工操作位置まで前進させると共にこの間を逆方向へ向かって後退させる塗工切替用ロール用操作装置と、
張力調整用ロールを基材走行路の塗工面側から非塗工面側へ向かって非塗工操作位置から塗工操作位置まで後退させると共にこの間を逆方向へ向かって前進させる張力調整用ロール用操作装置と、
塗工切替用ロール用操作装置及び張力調整用ロール用操作装置を制御して、塗工ロールの外周面に基材走行路の塗工面側を接触又は塗工接近させる塗工操作と塗工ロールの外周面から基材走行路の塗工面側を離反させる非塗工操作とを繰り返させる制御装置と、を備えた間欠塗工装置であって、
前記制御装置は、基材走行路の上流側基準ロールから下流側基準ロールへ至る基材パスラインの寸法値について、塗工操作における塗工ロールの外周面に対する基材走行路の塗工面側の接触又は塗工接近を始めさせる時の前後に設定した設定時間、及び非塗工操作おける塗工ロールの外周面から基材走行路の塗工面側の離反を始めさせる時の前後に設定した設定時間の各時間内におけ寸法値が、これら設定時間以外における寸法値よりも増大するように、塗工切替用ロールの進退移動に追従して張力調整用ロールの進退位置の制御を行なうことを特徴とする間欠塗工装置。
【手続補正２】
【補正対象書類名】明細書
【補正対象項目名】００１０
【補正方法】変更
【補正の内容】
【００１０】
塗工域の始端縁及び終端縁について大きく湾曲させることなく直線状に近づけることができるようにするために請求項２記載の本発明が採用した手段は、図４に示す如く、基材走行路Ｒの非塗工面Ｒｂ側を形成するように基材走行方向（矢符Ｓ方向）へ向かって順番に設けられた定位置の上流側基準ロール２、進退自在な塗工切替用ロール３、進退自在な張力調整用ロール４及び定位置の下流側基準ロール５と、上流側基準ロール２と塗工切替用ロール３との間であって基材走行路Ｒの塗工面Ｒａ側の定位置に設けられた塗工ロール６と、塗工切替用ロール３を基材走行路Ｒの非塗工面Ｒｂ側から塗工面Ｒｂ側へ向かって非塗工操作位置Ｄから塗工操作位置Ｅまで前進させると共にこの間を逆方向へ向かって後退させる塗工切替用ロール用操作装置７と、張力調整用ロール４を基材走行路Ｒの塗工面Ｒａ側から非塗工面Ｒｂ側へ向かって非塗工操作位置Ｆから塗工操作位置Ｇまで後退させると共にこの間を逆方向へ向かって前進させる張力調整用ロール用操作装置８と、塗工切替用ロール用操作装置７及び張力調整用ロール用操作装置８を制御して、塗工ロール６の外周面６ａに基材走行路Ｒの塗工面Ｒａ側を接触又は塗工接近させる塗工操作と塗工ロール６の外周面６ａから基材走行路Ｒの塗工面Ｒａ側を離反させる非塗工操作とを繰り返させる制御装置９と、を備えた間欠塗工装置１であって、前記制御装置９は、基材走行路Ｒの上流側基準ロール２から下流側基準ロール５へ至る基材パスラインＰＬ（図６参照）の寸法値について、塗工操作における塗工ロール６の外周面６ａに対する基材走行路Ｒの塗工面側の接触又は塗工接近を始めさせる時の前後に設定した設定時間Ｔ１、及び非塗工操作おける塗工ロール６の外周面６ａから基材走行路Ｒの塗工面Ｒａ側の離反を始めさせる時の前後に設定した設定時間Ｔ２の各時間内におけ寸法値が、これら設定時間以外における寸法値よりも増大するように、塗工切替用ロール３の進退移動に追従して張力調整用ロール４の進退位置の制御を行なうことを特徴とする間欠塗工装置である。
【手続補正３】
【補正対象書類名】明細書
【補正対象項目名】００１９
【補正方法】変更
【補正の内容】
【００１９】
前記塗工ロール６を有する塗工手段３９は、図１乃至図３に示す如く、外周面６ａに凹部を設けたグラビア形式の塗工ロール６の他に、塗工ロール６の外周面６ａに塗工液を付着させる塗工液付着槽３５と、塗工ロール６の外周面６ａに付着した余分な塗工液を掻取るドクター３７と、塗工液付着槽３５を待機位置（図２に示す位置）から付着位置（図３に示す位置）まで昇降させる槽昇降装置３６と、ドクター３７を待機位置（図２に示す位置）から掻取位置（図３に示す位置）まで進退させるドクター移動装置３８とを備えている。槽昇降装置３６及びドクター移動装置３８は、左右の固定フレーム１１，１１に取付けてある。塗工ロール６は、基材Ｗの走行方向と逆方向へ外周面６ａを回転させ、外周面６ａの凹部内に担持させた塗工液を基材Ｗの塗工面Ｗａに転写するリバースのキス塗工方式となるようにしてある。塗工ロール６は、グラビア形式以外に、棒状材の外周面に細い線材を巻き付け、線材の間に形成される螺旋溝に塗工液を担持させるワイヤーバー方式を選択することも可能である。
【手続補正４】
【補正対象書類名】明細書
【補正対象項目名】００２１
【補正方法】変更
【補正の内容】
【００２１】
また、前記左右の張力調整用ロール用操作装置８，８の各々は、図４に示す如く、前記記塗工切替用ロール用操作装置７と同様に構成され、張力調整用ロール４を回転自在に支持すると共に昇降フレーム１３（図１〜図３参照）に取付けた案内レール２４に進退自在に案内させるスライダー２５を取付けたロール支持部２６と、昇降フレーム１３に取付けた位置決め制御及び速度制御可能な電動サーボモータからなる駆動源２７と、ロール支持部２６と駆動源２７の間に設けられ、電動サーボモータの回転出力をロール支持部２６に伝達して張力調整用ロール４を進退移動させる動力伝達機構２８とを備えている。駆動源２７は、プログラムテーブルを採用して、このテーブルに張力調整用ロール４の停止位置及び通過位置、並びに、張力調整用ロール４の進退移動時の速度及び加減時間等を設定するたけで、張力調整用ロール４の後述する位置決めを簡単に実現できるようにしてある。動力伝達機構２８は、駆動源２７の出力軸２７ａに取着したクランク３１と、クランク３１及びロール支持部２６に両端側を回り対偶（軸及び軸受けの組合せ）で連結した連結棒３２とを備え、案内レール２４、スライダー２５及びクランク３１との組合せでガタ付きの少なく応答性の良い四節連鎖からなる滑子クランク機構を構成している。左右の張力調整用ロール用操作装置８，８は、左右の駆動源２７，２７を同期状態で運転させることで、張力調整用ロール４を基材走行路Ｒの塗工面Ｒａ側から非塗工面Ｒｂ側へ向かって非塗工操作位置Ｆから塗工操作位置Ｇまでの間を平行状態を維持しつつ円滑且つ迅速に進退するようになっている。
【手続補正５】
【補正対象書類名】明細書
【補正対象項目名】００２２
【補正方法】変更
【補正の内容】
【００２２】
前記塗工切替用ロール用操作装置７，７及び張力調整用ロール用操作装置８，８を制御する制御装置９（図１参照）は、図４（Ａ）に示す如く、塗工ロール６の外周面６ａに基材走行路Ｒの塗工面Ｒａ側を接触又は塗工接近（接触はさせないが塗工する状態まで接近）させる塗工操作（図中に二点鎖線で示す状態）と塗工ロール６の外周面６ａから基材走行路Ｒの塗工面Ｒａ側を離反させる非塗工操作（図中に実線で示す状態）とを交互に繰り返すように、塗工切替用ロール用操作装置７，７及び張力調整用ロール用操作装置８，８の各駆動源２７へ起動停止の信号を発信するものである。制御部９は、例えば図６に示す如く、移動する塗工切替用ロール３及び張力調整用ロール４の進退方向に沿った各位置（図（Ａ）参照）、基材走行路Ｒの上流側基準ロール２から下流側基準ロール５へ至る基材パスラインＰＬの寸法値（図（Ｂ）参照）及び塗工ロール６の外周面６ａに対する基材Ｗの状態（図（Ｅ）参照）の関係のデータを記憶する記憶部と、塗工切替用ロール３の移動の経過に伴って予め設定した基材パスラインＰＬの変化する寸法値を得るための張力調整用ロール４の移動させるべき位置を求める演算部、演算部の結果に基づいてロール用操作装置７，７及び８，８の各駆動源２７のドライバー部に起動停止の信号を発信する指令部とを備えている。
【手続補正６】
【補正対象書類名】明細書
【補正対象項目名】００２３
【補正方法】変更
【補正の内容】
【００２３】
前記制御装置９の指令を受けた塗工切替用ロール用操作装置７，７及び張力調整用ロール用操作装置８，８は、例えば図６に示す如く、塗布切替用ロール３を非塗工操作位置Ｄから塗工操作位置Ｅへ向かって等速度（図（Ａ）参照）で移動させるときに、張力調整用ロール４を非塗工操作位置Ｆから塗工操作位置Ｇへ向かって可変速度で移動（図（Ａ）参照）させることで、塗工ロール６の外周面６ａに対する基材Ｗの状態の変化（図（Ｅ）参照）に応じた基材パスラインＰＬの変化する寸法値（図６（Ｂ）参照）に設定することができると共に、塗布切替用ロール３を塗工操作位置Ｅから非塗工操作位置Ｄへ向かって等速度（図（Ａ）参照）で移動させるときに、張力調整用ロール４を塗工操作位置Ｇから非塗工操作位置Ｆへ向かって可変速度で移動（図（Ａ）参照）させることで、塗工ロール６の外周面６ａに対する基材Ｗの状態の変化（図（Ｅ）参照）に応じた基材パスラインＰＬの変化する寸法値（図６（Ｂ）参照）に設定することができる。また、ロール用操作装置７，７及び８，８は、塗布切替用ロール３を塗工操作位置Ｅに停止させると共に張力調整用ロール４を塗工操作位置Ｇに停止させることで、基材パスラインＰＬの寸法を基準寸法に維持させ、更に、塗布切替用ロール３を非塗工操作位置Ｄにさせると共に張力調整用ロール４を非塗工操作位置Ｆに停止させることで、基材パスラインＰＬの寸法を基準寸法に維持させるようにしてある。